(57)【特許請求の範囲】
【請求項１】
ベースプレートと
前記ベースプレートに回動可能に取り付けられたシャワーフック本体とを有するシャワーフックであって、
前記シャワーフック本体は、背面部と、背面部から正面側に突き出るように形成された一対の把持部とを有し、前記背面部と一対の把持部とが、正面側と上下方向に開口を有するシャワーヘッド保持用の貫通孔を形成するとともに、前記貫通孔は、ベースプレートの背面に対してヘの字状に屈曲するとともに、屈曲部から一方の開口に貫通する第１貫通孔がベースプレートの背面となす傾斜角度αと、屈曲部から他方の開口に貫通する第２貫通孔がベースプレートの背面となす傾斜角度βとが異なることを特徴とするシャワーフック。
【請求項２】
前記傾斜角度αと傾斜角度βの差の絶対値（｜α−β｜）が、５度〜３５度である請求項１に記載のシャワーフック。
【請求項３】
前記傾斜角度αが−５度〜１０度であって、前記傾斜角度βが５度〜３０度である請求項１または２に記載のシャワーフック。
【請求項４】
前記第１貫通孔と前記第２貫通孔とを所定の位置で位置決めする位置決め機構を備える請求項１〜３のいずれか一項に記載のシャワーフック。
【請求項５】
前記第１貫通孔と前記第２貫通孔とを１８０度の間隔で位置決めする位置決め機構を備える請求項１〜４のいずれか一項に記載のシャワーフック。
【発明の詳細な説明】
【技術分野】
【０００１】
本発明は、シャワーフックに関するものであり、より詳細には、シャワーヘッドの保持角度を二通りに変更できるシャワーフックに関するものである。
【背景技術】
【０００２】
シャワーフックとしては、シャワーヘッドの基端部を掛止する一対の把持部を有し、正面側にシャワーヘッドの基端部に接続するシャワーホースが挿通可能なように開口が設けられたシャワーフックがよく知られている。シャワーフックがシャワーヘッドを掛止する傾斜角度は、浴室の壁面に対して０度と１５度の主に２種類である。一方、シャワーヘッド本体のシャワー噴出角度は、製造メーカーによって異なる。そのため、シャワーヘッドをシャワーフックに掛止した状態では、シャワーヘッドの製造メーカーによってシャワーの吐水角度が異なる。一定の吐水角度に慣れたシャワーの使用者が、異なる吐水角度のシャワーを使用すると、シャワーの使用感が良くないという印象を受けるという問題があった。このような問題に対して、例えば、特許文献１〜４は、シャワーヘッドを保持する角度を可変にするシャワーフックを提案している。
【０００３】
特許文献１には、取付面に固定した支持台に球状部材を任意の方向に自在に回動するように装着すると共にこの球状部材を弾機の弾力にて適宜制動する制動片を圧着させ、該球状部材の外側にはシャワーヘッドを着脱自在に保持する保持部材を設けたことを特徴とするシャワーホルダが開示されている。
【０００４】
特許文献２には、シャワーの掛け部を受容する複数の貫通孔を有し、いずれの貫通孔が該掛け部を受容するかに応じて該シャワーの吐水口のシャワー角度を変えるよう、該貫通孔は掛け具取り付け壁に対する傾斜角度が異なるシャワー用多段式掛け具が開示されている。
【０００５】
特許文献３には、表面が半円弧状に前方に突出した略かまぼこ形に形成され、裏面に設けられた吸着手段により浴室内壁面の所望の位置に吸着固定されるベース部材と、該ベース部材の前面に取り付けられ、シャワーヘッドを掛脱可能に掛支保持するフック部材とからなり、フック部材が、ベース部材の表面の湾曲により、その取付位置によって壁面に対する取付角度が変わり、このことでシャワーヘッドの掛支角度が変えられるようになされたことを特徴とするシャワーフックが開示されている。
【０００６】
特許文献４には、浴室またはシャワールーム内に取付けられた保持部材と、この保持部材に回動可能に保持されたシャワーヘッド掛止用フック部材と、前記保持部材に対し前記フック部材が回動可能な状態と回動不能な状態とに切替えるための切替機構とよりなることを特徴とするシャワーフックが開示されている。
【先行技術文献】
【特許文献】
【０００７】
【特許文献１】実公昭５１−３７７９１号公報
【特許文献２】特開平７−２１６９４８号公報
【特許文献３】特開２００５−９００９９号公報
【特許文献４】特開２００３−１１９８５５号公報
【発明の概要】
【発明が解決しようとする課題】
【０００８】
本発明は、上記事情に鑑みてなされたものであって、シャワーヘッドを保持する角度を二通りに変えることができる新規なシャワーフックを提供することを目的とする。
【課題を解決するための手段】
【０００９】
上記課題を解決することのできた本発明のシャワーフックは、ベースプレートと前記ベースプレートに回動可能に取り付けられたシャワーフック本体とを有するシャワーフックであって、前記シャワーフック本体は、背面部と、背面部から正面側に突き出るように形成された一対の把持部とを有し、前記背面部と一対の把持部とが、正面側と上下方向に開口を有するシャワーヘッド保持用の貫通孔を形成するとともに、前記貫通孔は、ベースプレートの背面に対してヘの字状に屈曲するとともに、屈曲部から一方の開口に貫通する第１貫通孔がベースプレートの背面となす傾斜角度αと、屈曲部から他方の開口に貫通する第２貫通孔がベースプレートの背面となす傾斜角度βとが異なることを特徴とする。本発明のシャワーフックは、シャワーフック本体が、ベースプレートの背面に対して垂直な軸周りに回動することにより、傾斜角度αを有する第１貫通孔と傾斜角度βを有する第２貫通孔のいずれか一方を選択して、シャワーヘッドを掛止することができる。その結果、シャワーヘッドを保持する角度を二通りに変えることができる。
【００１０】
前記傾斜角度αと傾斜角度βの差の絶対値（｜α−β｜）は、５度〜３５度であることが好ましい。前記傾斜角度αとしては、例えば、−５度〜１０度が好ましく、前記傾斜角度βとしては、例えば、５度〜３０度が好ましい。本発明のシャワーフックは、前記第１貫通孔と前記第２貫通孔とを所定の位置で位置決めする位置決め機構を備えることが好ましく、第１貫通孔と前記第２貫通孔とを１８０度の間隔で位置決めする位置決め機構を備えることがより好ましい。
【発明の効果】
【００１１】
本発明のシャワーフックによれば、シャワーヘッドを保持する角度を二通りに変えることができる。
【図面の簡単な説明】
【００１２】
【図１】本発明の好ましい実施形態であるシャワーフックの分解斜視図。
【図２】図１のシャワーフックを正面側から見た斜視図。
【図３】図２のＡ−Ａ断面図。
【図４】本発明の別の好ましい実施形態であるシャワーフックの分解斜視図。
【図５】図４のシャワーフックを正面側から見た斜視図。
【図６】図５のＡ−Ａ断面図。
【図７】シャワーフック本体とベースプレートの取付態様を説明する説明図。
【図８】板ばねを用いた位置決め機構を説明する説明図。
【図９】本発明の別の好ましい実施形態であるシャワーフックの分解斜視図。
【図１０】図９のシャワーフックを正面側から見た斜視図。
【図１１】図９のＡ−Ａ断面図。
【図１２】シャワーフック本体とベースプレートの取付態様を説明する説明図。
【図１３】図１１のＢ−Ｂ断面図。
【図１４】本発明の別の好ましい実施形態であるシャワーフックの分解斜視図。
【図１５】ニップルと止め輪の説明図。
【図１６】図１４のシャワーフックを正面側から見た斜視図。
【図１７】シャワーフック本体とベースプレートの取付態様を説明する説明図。
【図１８】図１６のＡ−Ａ断面図。
【図１９】シャワーフック本体の回動機構を説明する説明図。
【図２０】シャワーヘッドの回転状態を説明する説明図。
【発明を実施するための形態】
【００１３】
本発明のシャワーフックは、ベースプレートと前記ベースプレートに回動可能に取り付けられたシャワーフック本体とを有するシャワーフックであって、前記シャワーフック本体は、背面部と、背面部から正面側に突き出るように形成された一対の把持部とを有し、前記背面部と一対の把持部とが、正面側と上下方向に開口を有するシャワーヘッド保持用の貫通孔を形成するとともに、前記貫通孔は、ベースプレートの背面に対してヘの字状に屈曲するとともに、屈曲部から一方の開口に貫通する第１貫通孔がベースプレートの背面となす傾斜角度αと、屈曲部から他方の開口に貫通する第２貫通孔がベースプレートの背面となす傾斜角度βとが異なることを特徴とする。
【００１４】
以下、本発明のシャワーフックについて、図面を参照しながら説明するが、本発明のシャワーフックは、図面に示された態様に限定されるものではない。
【００１５】
図１は、本発明のシャワーフックの要部を説明する分解斜視図である。本発明のシャワーフック１は、ベースプレート３と前記ベースプレート３に回動可能に取り付けられたシャワーフック本体５とを有する。図２に示すように、シャワーフック本体５は、背面部７と、背面部７から正面側に突き出るように形成された一対の把持部９，９とを有する。前記背面部７と一対の把持部９，９とが、正面側の開口１１と上下方向に開口１３ａ，１３ｂを有するシャワーヘッド保持用の貫通孔１５を形成する。図３は、図２のシャワーフック１のＡ−Ａ断面図である。貫通孔１５は、ベースプレート３の背面１７に対してヘの字状に屈曲し、屈曲部１９から一方の開口１３ａに貫通する第１貫通孔２１ａと、屈曲部１９から他方の開口１３ｂに貫通する第２貫通孔２１ｂとが連通して形成されている。本発明のシャワーフック１では、第１貫通孔２１ａがベースプレート３の背面１７となす傾斜角度αと、第２貫通孔がベースプレートの背面となす傾斜角度βとが異なることを特徴とする。なお、説明を簡略にするため、図１〜図３では、シャワーフック本体５とベースプレート３とを固定する手段は図示していない。
【００１６】
第１貫通孔２１ａおよび第２貫通孔２１ｂがそれぞれ、ベースプレート３の背面１７となす傾斜角度α、βとは、第１貫通孔および第２貫通孔の中心軸が、ベースプレート３の背面１７と交差する角度である。第１貫通孔２１ａの中心軸とは、第１貫通孔２１ａの開口１３ａに内接する最大内接円の中心と、屈曲部１９の開口に内接する最大内接円の中心とを結ぶ軸である。第２貫通孔２１ｂの中心軸とは、第１貫通孔２１ｂの開口１３ｂに内接する最大内接円の中心と、屈曲部１９の開口に内接する最大内接円の中心とを結ぶ軸である。ベースプレート３の背面１７は、浴室の壁面に容易に取り付ける観点から、平面であることが好ましい。前記傾斜角度α、βは、ベースプレートの背面からシャワーフック本体側に向かって正の符号を有する。
【００１７】
前記傾斜角度αと傾斜角度βとの差の絶対値（｜α−β｜）は、５度以上であることが好ましく、１０度以上であることがより好ましく、３５度以下であることが好ましく、３０度以下であることがより好ましく、２０度以下であることがさらに好ましい。傾斜角度の差の絶対値が、５度未満では、シャワーヘッドを保持する角度の変化の大きさが不足するからである。傾斜角度の差が３５度を超えると、角度の変化が大きすぎて、シャワーヘッドの使いやすさや安定性が保ち難くなるからである。
【００１８】
前記第１貫通孔２１ａがベースプレート３の背面１７となす傾斜角度αは、−５度以上が好ましく、０度以上がより好ましく、１０度以下が好ましく、５度以下が好ましい。傾斜角度をマイナス方向に大きく傾けると、シャワーヘッドが浴室壁面に当たってしまったり、シャワーフックから取り出しにくくなるからである。前記第２貫通孔２１ｂがベースプレート３の背面１７となす傾斜角度βは、５度以上が好ましく、１０度以上が好ましく、３０度以下が好ましく、２０度以下がより好ましい。傾斜角度が３０度を超えると、シャワーヘッドが地面に対して、横向きに近い角度になるので使いづらくなるからである。
【００１９】
前記第１貫通孔２１ａと第２貫通孔２１ｂの形状は、それぞれ、「円柱状形状」、「開口１３ａ、１３ｂから屈曲部１９に向かって径が小さくなるようにテーパーをつけた円錐状形状」、「開口１３ａ、１３ｂから始まって所定距離だけ屈曲部１９側に隔てた位置までを円錐状とし、他の部位は別の形状、例えば円柱状とした開口部円錐状複合形状」とするのがよい。円錐状としたり、開口部円錐状複合形状とすることにより、シャワーヘッドをシャワーフックに差し込みやすくするとともに、シャワーヘッドをしっかりと保持できるからであり、特には円錐状とするのがよい。なお、上述の形状を基本として、前記第１貫通孔２１ａと第２貫通孔２１ｂに、シャワーフックの把持性を高める為に、貫通孔の延在方向に延びる溝や、微小な突起などを付設しても良いが、繰り返し使用における耐摩耗性向上等の観点で、溝などは設けない方が好ましい。
【００２０】
傾斜角度αが−５度〜１０度である第１貫通孔の長さｈ１は、１０ｍｍ以上が好ましく、２０ｍｍ以上がより好ましく、２５ｍｍ以上がさらに好ましい。第１貫通孔の長さｈ１が、１０ｍｍ未満であれば、第１貫通孔の長さが短すぎて、シャワーヘッドを安定的に掛止することが難しくなる。また、第１貫通孔の長さｈ１は、４５ｍｍ以下が好ましく、４０ｍｍ以下がより好ましく、３５ｍｍ以下がさらに好ましい。第１貫通孔の長さｈ１が、４５ｍｍ超であると、第１貫通孔の長さが長すぎて、シャワーフックからシャワーヘッドの抜き差しが困難になる。また、シャワーフック本体が大型化してしまいコストアップの原因にもなる。
【００２１】
傾斜角度βが５度〜３０度である第２貫通孔の長さｈ２は、１０ｍｍ以上が好ましく、２０ｍｍ以上がより好ましく、２５ｍｍ以上がさらに好ましい。第２貫通孔の長さｈ２が、１０ｍｍ未満であれば、第２貫通孔の長さが短すぎて、シャワーヘッドを安定的に掛止することが難しくなる。また、第２貫通孔の長さｈ２は、４５ｍｍ以下が好ましく、４０ｍｍ以下がより好ましく、３５ｍｍ以下がさらに好ましい。第２貫通孔の長さｈ２が、４５ｍｍ超であると、第２貫通孔の長さが長すぎて、シャワーフックからシャワーヘッドの抜き差しが困難になる。また、シャワーフック本体が大型化してしまいコストアップの原因にもなる。
【００２２】
なお、図３に示すように、第１貫通孔の長さｈ１は、第１貫通孔開口１３ａの正面側の端縁から、ベースプレート３の背面１７に対して垂直で屈曲部１９を通る直線までの最短距離であり、第２貫通孔の長さｈ２は、第２貫通孔開口１３ｂの正面側の端縁から、ベースプレート３の背面１７に対して垂直で屈曲部１９を通る直線までの最短距離である。
【００２３】
貫通孔１５の正面側の開口１１は、シャワーヘッドをシャワーフックに掛ける際に、シャワーホースが挿通可能なように設けられている。正面側の開口幅ｗは、１５ｍｍ以上が好ましく、１７ｍｍ以上がより好ましい。開口幅ｗが狭すぎると、シャワーホースの抜き差しが難しくなる。前記開口幅ｗは、２０ｍｍ以下が好ましく、１９ｍｍ以下がより好ましい。前記開口幅ｗが広すぎると、シャワーヘッドをシャワーフックに掛止することが難しくなる場合がある。
【００２４】
シャワーフック本体を構成する材料としては、金属、樹脂のいずれを使用してもよい。コスト及び外観面からＡＢＳ樹脂が好ましい。
【００２５】
ベースプレートを構成する材料としては、金属、樹脂のいずれを使用してもよい。コスト面から、樹脂が好ましい。特に、シャワーフック本体をＡＢＳ樹脂で形成した場合には、シャワーフック本体との摺動の観点から、ポリアセタール（ＰＯＭ）が好ましい。ベースプレートの平面形状は、特に限定されないが、円形状、多角形状、矩形状のいずれであってもよく、円形状が好ましい。
【００２６】
本発明のシャワーフック１は、シャワーフック本体５が、ベースプレート３の背面７に対して垂直な軸周りに回動可能なようにベースプレート３に取り付けられている。本発明において「シャワーフック本体が回動可能である」とは、シャワーフック本体が、前記軸まわりの左右のどちらか一方方向に回転可能である、および、両方に回転可能である、両方の態様を含むものとする。また、シャワーフック本体の回転面は、ベースプレートの背面および／または浴室の壁面と平行であることが好ましい。本発明のシャワーフックは、例えば、シャワーフック本体を１８０度回転させることにより、傾斜角度αを有する第１貫通孔２１ａか、あるいは、傾斜角度βを有する第２貫通孔２１ｂの一方を選択でき、シャワーヘッドを掛止する角度を二通りに変えることができる。
【００２７】
シャワーフック本体をベースプレートに回動可能なように取り付ける手段は、特に限定されるものではないが、例えば、固定ビスを用いて、シャワーフック本体をベースプレートに回動可能なように取り付ける方法、および、ニップルと止め輪を用いる方法などが挙げられる。固定ビスの材質としては、金属、樹脂のいずれも使用できるが、耐錆性、耐久性の観点から、金属が好ましく、ステンレスがより好ましい。さらに、緩み防止として、ロックナットやビットインサートを設けることが好ましい。また、シャワーフック本体の回転性向上のため、ワッシャーを設けることが好ましい。ワッシャーの材質としては、金属、樹脂のいずれも使用できるが、コスト面から樹脂が好ましい。摺動性の観点から、ワッシャーの材質としては、ナイロンが好ましい。ニップル、固定ビスなどを用いて、シャワーフック本体とベースプレートとを固定した後は、外観面から、シャワーフック本体の背面部に形成されるビス挿入孔を、キャップで塞ぐことが好ましい。キャップの材質としては、金属、樹脂などが使用できる。コスト面や取付性を考えると、エラストマー製のスナップフィットが好ましく、樹脂製のスナップフィットがより好ましく、ＡＢＳ樹脂製のスナップフィットがさらに好ましい。
【００２８】
止め輪の材質としては、金属、樹脂のいずれも使用できるが、コスト面、柔軟性の観点から、樹脂が好ましい。特に、剛性、耐疲労性の観点から、ポリアセタール（ＰＯM）が好ましい。ニップルの材質としては、金属、樹脂のいずれも使用できるが、コスト面から樹脂が好ましい。特に、ポリアセタール製の止め輪を用いる場合には、剛性、耐疲労性、および、止め輪との摺動性の観点から、ニップルの材質として、ポリフェニレンスルフィド（ＰＰＳ）を使用することが好ましい。
【００２９】
本発明のシャワーフックは、第１貫通孔と第２貫通孔とを位置決めする位置決め機構が備えられていることが好ましい。位置決め機構としては、例えば、後述するような板ばねとロック解除ボタンを利用する態様、シャワーフック本体の内側面に凹部を設けて、ベースプレートの外側面に凸部を設けた乗り越え・嵌り込みのような態様、あるいは、異形断面を有するニップルと止め輪を利用する態様などが挙げられる。板ばねの材質としては、金属、樹脂のいずれも使用することができるが、剛性の観点から金属が好ましい。特に、耐錆性、耐久性の観点から、ステンレスがより好ましい。
【００３０】
本発明のシャワーフックを浴室の壁面に取り付ける方法としては、特に限定されず、例えば、ビスで固定する方法、吸盤で固定する方法、マグネットで固定する方法、接着剤で固定する方法、両面テープで固定する方法、および、浴室にすでに取り付けられているシャワーフックに固定する方法などがある。
【００３１】
以下、本発明のシャワーフックの好ましい実施形態を、さらに具体例に説明するが、本発明は、下記実施形態に限定されるものではない。
【００３２】
図４〜図８には、本発明のシャワーフックの好ましい実施形態（第１実施形態）を示した。図４は、シャワーフックの分解斜視図である。図５は、シャワーフックを正面側からみた斜視図である。図６は、図５のＡ−Ａ断面図である。図７は、シャワーフック本体をベースプレートに取り付ける態様を説明する説明図である。図８は、板ばねとロック解除ボタンを用いた位置決め機構を説明する説明図である。なお、図７では、説明を簡略化するために、板ばねとロック解除ボタンを用いた位置決め機構は省略されている。第１実施形態では、第１貫通孔の傾斜角度αが０度であり、第２貫通孔の傾斜角度βが１５度である。
【００３３】
図４、図５に示すように、ベースプレート３は、平面視で円形状である。ベースプレート３の底面２３には、ベースプレート３を浴室壁面に固定するためのビス穴２５，２５と、底面から起立する円周壁２７が設けられている。円周壁２７は、ベースプレート３の同心円で円周状に設けられている。図４、図７に示すように、円周壁２７の外径は、ベースプレート３の外径よりも小さく、ベースプレート３の円周には、シャワーフック本体５の外周壁４７を載置する段差状の台座２８が設けられている。ベースプレート３の中心には、シャワーフック本体を回動させる枢支軸を構成する枢支円筒部３９が設けられている。
【００３４】
図６、図７に示すように、シャワーフック本体５の背面部７には、固定ビス２９を挿入するための挿入孔４１が設けられている。挿入孔４１は、シャワーフック本体５の裏面４３から延設した円筒部４５を有している。シャワーフック本体の円筒部４５の内周径は、ベースプレート３の枢支円筒部３９の外周径より大きい。また、シャワーフック本体５には、シャワーフック本体の外周に沿って、裏面４３から延設する外周壁４７が設けられている。シャワーフック本体の外周壁４７の内周径は、ベースプレート３の円周壁２７の外周径よりも大きく、ベースプレート３の外周径よりも小さい。図４に示すように、シャワーフック本体５の外周壁４７には、ロック解除ボタン３１が挿入するボタン挿入孔３５が穿設されている。外周壁４７のボタン挿入孔３５の開口位置は、第１貫通孔および第２貫通孔の開口のいずれか一方と一致させるように設けられている。
【００３５】
シャワーフック本体５とベースプレート３とは、挿入孔４１に挿入した固定ビス２９の先端部を、ベースプレート３の枢支円筒部３９の内部に挿着することで固定される。シャワーフック本体５とベースプレート３とを固定ビスで固定すると、シャワーフック本体の外周壁４７が、ベースプレート３の円周壁２７に外嵌し、シャワーフック本体５の円筒部４５が、ベースプレート３の枢支円筒部３９に外嵌する。
【００３６】
第１実施形態では、図８（ａ）、（ｂ）に示すように、第１貫通孔および第２貫通孔の位置決め機構として、ロック解除ボタン３１と板ばね３３を用いる。板ばね３３は、シャワーフック本体５の外周壁４７から、内側に向かって延設する一対の保持部材４９、４９によって保持されている。
【００３７】
図８（ｂ）に示すように、ベースプレート３の円周壁２７の内周面には、ボタン３１の突起３６が係合する溝３７、３７が対向するように１８０度の間隔で刻設されている。図８（ａ）に示すように、ボタン３１は、ボタン３１の脚部４６が板ばね３３と当接して、板ばね３３の弾性によって、上下に可動できるように設けられている。ボタン３１は、板ばね３３によって上昇するように付勢されており、ボタン３１が上昇してボタン挿入孔３５に嵌合すると、突起３６がベースプレート３の円周壁２７の内周面に設けられた溝３７に係合する。その結果、シャワーフック本体５とベースプレート３がそれぞれ、ボタン３１によって固定されるので、第１貫通孔および第２貫通孔の位置が決定される。ボタン３１を押圧すると、板ばね３３が変形して、ボタン３１が下降し、突起３６とベースプレート３の円周壁２７の溝３７との係合が解除される。その結果、シャワーフック本体５が回動可能になる。
【００３８】
ベースプレート３を浴室の壁面に取り付ける際に、ベースプレート３の円周壁２７の内周面に設けられた溝３７を上下方向（地面に対して垂直な方向）になるようにすれば、第１貫通孔および第２貫通孔の位置を上下方向の位置で決めることができる。
【００３９】
図９〜図１３には、本発明のシャワーフックの別の好ましい実施形態を示した（第２実施形態）。図９は、シャワーフックの分解斜視図である。図１０は、シャワーフックを正面側からみた斜視図である。図１１は、図１０のＡ−Ａ断面図である。図１２は、シャワーフック本体をベースプレートに取り付ける態様を説明する説明図である。図１３は、図１１のＢ−Ｂ断面図である。第２実施形態では、第１貫通孔の傾斜角度αが０度であり、第２貫通孔の傾斜角度が１５度である。第２実施形態は、第１実施形態とは異なる位置決め機構を備える。
【００４０】
ベースプレート３は、平面視で円形状である。ベースプレート３の底面２３には、ベースプレート３を浴室壁面に固定するためのビス穴２５，２５と、底面から起立する円周壁２７が設けられている。円周壁２７は、ベースプレート３の同心円で円周状に設けられている。円周壁２７の外径は、ベースプレート３の外径よりも小さく、ベースプレート３の円周には、シャワーフック本体５の外周壁４７を載置する段差状の台座２８が設けられている。ベースプレート３の中心には、シャワーフック本体を回動させる枢支軸を構成する枢支円筒部３９が設けられている。ベースプレート３の底面２３には、板ばね５３を係止するための係止片５５，５５が立設されている。
【００４１】
シャワーフック本体５の背面部７には、固定ビス２９を挿入するための挿入孔４１が設けられている。挿入孔４１は、シャワーフック本体５の裏面４３から延設した円筒部４５を有している。シャワーフック本体の円筒部４５の内周径は、ベースプレート３の枢支円筒部３９の外周径より大きい。シャワーフック本体５の裏面４３からは、外周壁５７と内周壁５９とが延設している。外周壁５７と内周壁５９の間には、両者を架設する架設部材６１が設けられている。
【００４２】
シャワーフック本体５とベースプレート３とは、挿入孔４１に挿入した固定ビス２９の先端部を、ベースプレート３の枢支円筒部３９の内部に挿着することで固定される。シャワーフック本体５とベースプレート３とを固定ビス２９で固定すると、シャワーフック本体５の円筒部４５が、ベースプレート３の枢支円筒部３９に外嵌し、ベースプレート３の円周壁２７が、シャワーフック本体５の外周壁５７と内周壁５９との間に挿入する。
【００４３】
第２実施形態の位置決め機構は、ベースプレートに設置された突起状の板ばねとシャワーフック本体の内側面に設けられた凹部を利用する。板ばね５３は、平坦な板ばねの両末端を折り返して、突起部５１、５１を有するように加工されている。図１３に示すように、板ばね５３は、一方の突起部５１が外周方向に突出するように、係止片５５、５５によって係止されている。シャワーフック本体５の内周壁５９の内周面には、１８０度の間隔で隙間６３が２箇所設けられている。板ばねの突起部５１がこの隙間６３に係合することにより、シャワーフック本体５とベースプレート３とが固定される。シャワーフック本体５を回動させる方向にある程度の外力がかかると、板ばね５３が弾性変形して係合が解除され、突起部５１がシャワーフック本体５の内周壁５９の内面を摺動しながら、シャワーフック本体５が回動する。ベースプレート３の外周方向に突出するように設置されている板ばねの突起部５１が、浴室壁面の左右方向になるようにベースプレート３を浴室の壁面に取り付ければ、第１貫通孔２１ａと第２貫通孔２１ｂの位置を上下方向で決めることができる。
【００４４】
図１４〜図１８には、本発明のシャワーフックの別の好ましい実施形態を示した（第３実施形態）。図１４は、シャワーフックの分解斜視図である。図１５は、ニップルと止め輪の説明図である。図１６は、シャワーフックを正面側からみた斜視図である。図１７は、図１６のＡ−Ａ断面図である。図１８は、シャワーフック本体をベースプレートに取り付ける態様を説明する説明図である。第３実施形態では、第１貫通孔の傾斜角度αが０度であり、第２貫通孔の傾斜角度が１５度である。
【００４５】
ベースプレート３は、平面視で円形状である。ベースプレート３の底面２３には、ベースプレート３を浴室壁面に固定するためのビス穴２５，２５と、底面から起立する円周壁２７が設けられている。円周壁２７は、ベースプレート３の円周に沿って設けられている。ベースプレート３の中心には、シャワーフック本体を回動させる枢支軸３９が設けられている。円周壁２７には、止め輪６７を嵌め込むための開口７７が、スリット状に設けられている。スリット状開口７７の両端の円周壁２７の内周面には、止め輪６７の係止爪７６が係止する係止用突部７８が、枢支軸３９の軸方向に直線状に設けられている。
【００４６】
シャワーフック本体５の背面部７には、ニップル６５を挿入するための挿入孔４１が設けられている。挿入孔４１の形状は、ニップル６５の頭部７１に係合する形状であり、シャワーフック本体５とニップル６５とが一緒に回動するように構成されている。
【００４７】
シャワーフック本体５とベースプレート３とは、挿入孔４１に挿入したニップル６５の先端内部に、ベースプレート３の枢支軸３９を挿嵌することで固定される。シャワーフック本体５とベースプレート３とをニップル６５で固定すると、シャワーフック本体５の裏面４３が、ベースプレート３の円周壁２７の頂部に当接する。また、シャワーフック本体５とベースプレート３とは、後述するニップル６５と止め輪６７によっても固定されている。
【００４８】
第３実施形態の位置決め機構は、ニップル６５と止め輪６７を用いる。図１５に示すように、ニップル６５は、軸部６９と、軸部６９より拡径した頭部７１とを有する。ニップルの頭部７１は、六角形状であり、シャワーフック本体５の背面部７に設けられた挿入孔４１に係合して、シャワーフック本体５とニップル６５とが一緒に回動するように構成されている。図１５に示すように、ニップル６５の軸部６９の先端側には、止め輪６７の挟持部７５が係合する溝７９が周設されている。止め輪６７は、端部７３と、端部７３から立設した略Ｕ字形状の一対の挟持部７５，７５と、挟持部７５，７５の両側に係止爪７６，７６とを有する。止め輪６７を、ベースプレート３の円周壁２７に設けられた開口７７から挿嵌すると、係止爪７６，７６が円周壁２７の内周面に設けられた係止用突部７８，７８に係止する。これにより、止め輪６７が、ベースプレート３から抜けるのが防止される。止め輪６７を円周壁２７の開口７７に挿嵌すると、止め輪６７の挟持部７５がニップル６５の溝７９に嵌着する。これにより、ニップル６５が、止め輪６７から抜けるのが防止される。
【００４９】
図１９は、シャワーフック本体５の回動機構を説明する説明図であり、図１７のＢ−Ｂ断面図である。図１９に示すように、ニップル６５の溝７９が形成されている軸部の断面形状は、略四角形状であり、対向する二つの面８１，８１が平面であり、他の対向する二つの面８３，８３が、円弧状に形成されている。図１９（ａ）は、シャワーフック本体５がロックされている状態を示している。ニップル６５の軸部の平面８１，８１が、二本の挟持部７５、７５に挟持されて、挟持部７５，７５の弾性力によってニップル６５の軸部６９が固定されている。図１９（ｂ）に示すように、シャワーフック本体３を９０度回転させると、ニップル６５の軸部６９の円形状の面８３，８３が、二本の挟持部７５，７５を押圧して、挟持部７５，７５の間隔を広げながら回転する。シャワーフック本体５をさらに９０度回転させると、図１９（ｃ）に示すように、ニップル６５の軸部の平面８１，８１が、二本の挟持部７５，７５に挟持されて、挟持部７５，７５の弾性力によって、ニップル６５の軸部６９が固定される。
【００５０】
前記実施形態１〜３は、第１貫通孔と第２貫通孔の掛止位置を、浴室の上下方向に設定し、シャワーフック本体５を１８０度回転することにより、第１貫通孔と第２貫通孔のいずれかを選択する態様である。しかし、第１貫通孔と第２貫通孔の掛止位置を、さらに数箇所設けるようにしてもよい。第１貫通孔と第２貫通孔の掛止位置をさらに数箇所設けることによって、例えば、図２０に示すように、シャワーヘッド８５の吐水方向を数段階に変更することができる。
【００５１】
以上、本発明を好ましい実施形態に基づいて説明したが、本発明は、前記実施形態に限定されるものではなく、本発明の趣旨を逸脱しない範囲で、各実施形態の形状、構成、配置、材料などを適宜変更することができる。また、各実施形態にて示した構成、配置、材料、形状、数値範囲などの規定は、各々独立に、或いは、何れか２以上の規定を組み合わせて、シャワーフックに適用可能である。
【００５２】
本発明のシャワーフックは、上記の様に構成されているので、以下の様な作用効果を奏する。本発明のシャワーフックは、シャワーヘッドを保持する角度を二通りに変えることができる。本発明のシャワーフックは、シャワーフック本体を回転させるだけの構造でああるため、部品点数が少なく安価である。本発明のシャワーフックは、浴室壁面に対して垂直な軸周りに回転するため、シャワー挿入位置が変化しない。
【符号の説明】
【００５３】
１：シャワーフック、３：ベースプレート、５：シャワーフック本体、７：背面部、９：把持部、１１：正面側開口、１３ａ、１３ｂ：貫通孔開口、１５：貫通孔、１７：ベースプレート背面、１９：屈曲部、２１ａ：第１貫通孔、２１ｂ：第２貫通孔、２３：ベースプレート底面、２５：ビス穴、２７：ベースプレート円周壁、２８：台座、２９：固定ビス、３１：ロック解除ボタン、３３：板ばね、３５：ボタン挿入孔、３６：突起、３７：溝、３９：枢軸円筒部、４１：ビス挿入孔、４３：シャワーフック本体裏面、４５：円筒部、４６：脚部、４７：外周壁、４９：保持部、５１：突起部、５３：板ばね、５５：係止片、５７：外周壁、５９：内周壁、６１：架設部材、６３：隙間、６５：ニップル、６７：止め輪、６９：軸部、７１：頭部、７３：端部、７５：挟持部、７６：係止爪、７７：開口、７８：係止用突部、７９：溝、８１：平面、８３：円弧状面、８５：シャワーヘッド
【図１】
0005390584.tif 000002
【図２】
0005390584.tif 000003
【図３】
0005390584.tif 000004
【図４】
0005390584.tif 000005
【図５】
0005390584.tif 000006
【図６】
0005390584.tif 000007
【図７】
0005390584.tif 000008
【図８】
0005390584.tif 000009
【図９】
0005390584.tif 000010
【図１０】
0005390584.tif 000011
【図１１】
0005390584.tif 000012
【図１２】
0005390584.tif 000013
【図１３】
0005390584.tif 000014
【図１４】
0005390584.tif 000015
【図１５】
0005390584.tif 000016
【図１６】
0005390584.tif 000017
【図１７】
0005390584.tif 000018
【図１８】
0005390584.tif 000019
【図１９】
0005390584.tif 000020
【図２０】
0005390584.tif 000021